(57)【要約】【課題】  常時録画した料理番組を有効に活用する。【解決手段】  チューナ１１はチューナに相当し、ＨＤＤ１４は記録手段に相当し、デマルチプレクサ１２は常時録画制御手段に相当し、Ｓ１２０とＳ１２５の処理は録画される番組の番組情報を取得し、番組情報に基づいて料理番組を検索してそのレシピ情報を抽出するレシピ情報抽出手段に相当し、Ｓ１３５の処理はインターネットを介して外部の端末に対して番組とレシピ情報と番組情報の全部または一部を送信するレシピ情報送信手段に相当し、Ｓ１４０の処理がインターネットを介して外部の端末から番組の選択を受信する番組選択受信手段に相当し、Ｓ１５０の処理は選択された番組を再生準備させるスタンバイ設定手段に相当する。【選択図】  図２
2015177461.tif 000002
【特許請求の範囲】
【請求項１】
複数のテレビ放送を個別に受信するチューナと、テレビ放送の内容をＨＤＤに記録再生する記録手段と、指定された複数のチャンネルの放送内容を前記チューナで常時受信して前記記録手段で録画させる常時録画制御手段と、
録画される番組の番組情報を取得し、番組情報に基づいて料理番組を検索してそのレシピ情報を抽出するレシピ情報抽出手段と、
インターネットを介して外部の端末に対して番組とレシピ情報と番組情報の全部または一部を送信するレシピ情報送信手段と、
インターネットを介して外部の端末から番組の選択を受信する番組選択受信手段と、
選択された番組を再生準備させるスタンバイ設定手段とを備えることを特徴とする録画再生装置。
【請求項２】
前記レシピ情報抽出手段で抽出したレシピ情報に基づき、データベースへの追加や変更や削除を実現するデータベース更新手段と、
前記データベースで検索するための所定の検索キーを受け付けるデータベース検索受付手段と、
受け付けられた検索キーで前記データベースを検索して結果を取得するデータベース検索手段とを備えることを特徴とする請求項１に記載の録画再生装置。
【請求項３】
前記データベースは、食材の項目を有しており、
所定の食材の登録を受け付ける検索用食材登録手段と、
前記データベースで検索を行うときに前記受け付けた食材でフィルタをかける食材フィルタ手段とを備えることを特徴とする請求項２に記載の録画再生装置。
【請求項４】
前記常時録画制御手段は、前記記録手段に記録されているテレビ放送の内容について所定の期間が経過したときに削除する自動削除手段を備えており、
この自動削除手段は、前記受け付けた食材を有するか否かで削除するか否かを決定し、削除しないものは前記記録手段の中で所定の領域に記録させることを特徴とする請求項３に記載の録画再生装置。
【請求項５】
前記データベースは、調理時間の項目を有しており、
調理時間の登録を受け付ける検索用調理時間登録手段と、
前記データベースで検索を行うときに前記受け付けた調理時間未満のものでフィルタをかける調理時間フィルタ手段とを備えることを特徴とする請求項２〜請求項４のいずれかに記載の録画再生装置。 
【発明の詳細な説明】
【技術分野】
【０００１】
本発明は、録画再生装置に関し、特に、料理番組の視聴に好適な録画再生装置に関する。
【背景技術】
【０００２】
チャンネルごとに指定して常に録画し続ける機能が利用されてきている。丸録、全録、タイムシフト機能、ループ録画など、各種の呼び名で呼ばれているが、複数のチャンネルの放送内容を常時受信して録画する。
テレビ放送の番組における料理情報に関するものとして、特許文献１が開示されている。また、素材や、配信、レシピ提供、時間情報などに関して特許文献２〜４が開示されている。
【０００３】
特許文献１は、番組から料理情報を抽出する食材管理調達システムに関する。特許文献１には、請求項１に、「料理番組から料理情報を抽出する。食材の在庫情報を記憶し、不足食材を表示する。」また、請求項４に、「携帯端末は、料理情報抽出手段により抽出された料理情報、又は食材管理装置から書き込まれる食材情報を記録する記憶媒体を装着する。」との開示がある。
【０００４】
特許文献２は、素材を検索キーにしてコンテンツを検索する端末装置、サーバ、コンテンツデータ保存方法などに関する。特許文献２には、請求項１と請求項２に、「調理に用いられる素材を検索キーにしてコンテンツを検索する。」との開示がある。
特許文献３は、携帯電話から送信して検索する番組データ管理サーバ、識別子割当装置、番組などに関する。特許文献３には、請求項１と請求項３、および図７に、「携帯電話から送信したキーワードで番組映像を検索する。」との開示がある。
【０００５】
特許文献４は、料理所要時間に対応したレシピを提供するデータ提供方法、データ再生方法、データ提供システムなどに関する。特許文献４には、請求項１に、「料理レシピデータをデータ提供装置に要求し、要求された料理所要時間に対応した料理レシピデータを通信装置に提供する。」、また、請求項７に、「受け付けた要求に対応する料理レシピデータを料理所要時間に基づいて記憶部に記憶してある料理レシピデータから検索する。」との開示がある。
【０００６】
特許文献５は、時間情報に対応するコンテンツを抽出するコンテンツ利用システムに関する。特許文献５には、請求項１に、「時間情報に対応するコンテンツを抽出する。」との開示がある。
【先行技術文献】
【特許文献】
【０００７】
【特許文献１】特開２００３−０５８６９９号公報
【特許文献２】特開２００３−０９１５５９号公報
【特許文献３】ＷＯ２００８／０７８７１７号公報
【特許文献４】特開２００６−０７２５５９号公報
【特許文献５】特開２００５−１８２１６６号公報
【発明の概要】
【発明が解決しようとする課題】
【０００８】
常時録画が可能なタイムシフトマシン等においては、録画した番組が多くなり、見たい番組をすぐに見つけることができないため、再生するまでに時間がかかる。特に料理番組の場合、帰宅時に番組を探す時間は無いことが多く、すぐに自分の作りたいレシピを再生させることができないので、料理番組を見ながら作るということが面倒であった。
特に、常時録画の場合は、録画される番組をユーザが把握していないことも多く、使用できる食材を知ることもできない。例えば、自宅外で買い物をしているときに番組で使用する食材を知っていれば、その食材を購入し、自宅で番組を見ながら調理するということができる。しかし、食材も番組の存在も知らなければ、そのようなこともできない。
【０００９】
また、特許文献１は、番組を再生する構成ではなく、特許文献２は、番組を検索する構成ではなく、特許文献３は、番組をリジュームしておく構成ではなく、特許文献４は、番組を検索する構成ではなく、特許文献５は、携帯端末にコンテンツを配信する構成に過ぎない。
本発明は、常時録画した料理番組を有効に活用できるようにする録画再生装置を提供する。
【課題を解決するための手段】
【００１０】
本発明は、複数のテレビ放送を個別に受信するチューナと、テレビ放送の内容をＨＤＤに記録再生する記録手段と、指定された複数のチャンネルの放送内容を前記チューナで常時受信して前記記録手段で録画させる常時録画制御手段と、録画される番組の番組情報を取得し、番組情報に基づいて料理番組を検索してそのレシピ情報を抽出するレシピ情報抽出手段と、インターネットを介して外部の端末に対して番組とレシピ情報と番組情報の全部または一部を送信するレシピ情報送信手段と、インターネットを介して外部の端末から番組の選択を受信する番組選択受信手段と、選択された番組を再生準備させるスタンバイ設定手段とを備える構成してある。
【００１１】
前記構成において、常時録画制御手段による制御のもとで、指定された複数のチャンネルの放送内容を前記チューナで常時受信して前記記録手段で録画させる。
レシピ情報抽出手段は、録画される番組の番組情報を取得し、番組情報に基づいて料理番組を検索してそのレシピ情報を抽出すると、レシピ情報送信手段はインターネットを介して外部の端末に対して番組とレシピ情報と番組情報の全部または一部を送信する。ユーザが、この情報に基づいて番組を選択すると、番組選択受信手段は、インターネットを介して外部の端末から番組の選択を受信し、スタンバイ設定手段は、選択された番組を再生準備させる。
【００１２】
本発明の他の態様として、レシピ情報抽出手段で抽出したレシピ情報に基づき、データベースへの追加や変更や削除を実現するデータベース更新手段と、前記データベースで検索するための所定の検索キーを受け付けるデータベース検索受付手段と、受け付けられた検索キーで前記データベースを検索して結果を取得するデータベース検索手段とを備える構成してもよい。
前記構成において、データベース更新手段は、レシピ情報抽出手段で抽出したレシピ情報に基づき、データベースへの追加や変更や削除を実現しており、データベース検索受付手段が前記データベースで検索するための所定の検索キーを受け付けると、データベース検索手段は受け付けられた検索キーで前記データベースを検索して結果を取得する。
【００１３】
本発明の他の態様として、前記データベースは、食材の項目を有しており、所定の食材の登録を受け付ける検索用食材登録手段と、前記データベースで検索を行うときに前記受け付けた食材でフィルタをかける食材フィルタ手段とを備える構成してもよい。
前記構成において、前記データベースは、食材の項目を有しており、検索用食材登録手段で所定の食材の登録を受け付けると、食材フィルタ手段が前記データベースで検索を行うときに前記受け付けた食材でフィルタをかける。
例えば、好みの食材や、ストックしてある食材を登録し、これらの食材が含まれるものだけが検索されるようにフィルタをかけるようにすることができる。また、逆に、嫌いな食材があれば、これが含まれる食材は検索されないようにフィルタをかけるようにしても良い。
【００１４】
本発明の他の態様として、前記常時録画制御手段は、前記記録手段に記録されているテレビ放送の内容について所定の期間が経過したときに削除する自動削除手段を備えており、この自動削除手段は、前記受け付けた食材を有するか否かで削除するか否かを決定し、削除しないものは前記記録手段の中で所定の領域に記録させる構成してある。
前記構成において、前記常時録画制御手段の自動削除手段は、前記記録手段に記録されているテレビ放送の内容について所定の期間が経過したときに削除する。ただし、自動削除手段は、前記受け付けた食材を有するか否かで削除するか否かを決定し、削除しないものは前記記録手段の中で所定の領域に記録させる。
例えば、好みの食材を登録した場合、この食材を有する料理番組については、テレビ放送の内容を削除しないで別の領域に記録させる。一方、この食材を有しない料理番組は、本来どおり、所定の期間が経過したときに削除すればよい。
【００１５】
本発明の他の態様として、前記データベースは、調理時間の項目を有しており、調理時間の登録を受け付ける検索用調理時間登録手段と、前記データベースで検索を行うときに前記受け付けた調理時間未満のものでフィルタをかける調理時間フィルタ手段とを備える構成してもよい。
前記構成において、前記データベースは、調理時間の項目を有しており、検索用調理時間登録手段で調理時間の登録を受け付けると、調理時間フィルタ手段が前記データベースで検索を行うときに前記受け付けた調理時間未満のものでフィルタをかける。
例えば、帰宅直後に調理を開始するものとして、すぐに見て作れる番組だけを対象としたい場合、調理時間として１５分を登録したとする。この場合、１５分未満の調理番組だけが選択されるようになる。
【発明の効果】
【００１６】
本発明の録画再生装置によれば、普段から特に意識することなく常時録画した料理番組を、レシピ情報に基づいて外部から容易に番組を選択できる上、対象となる番組をすぐに見れるようになる。
【図面の簡単な説明】
【００１７】
【図１】本発明の録画再生装置のブロック図である。
【図２】録画再生装置の処理手順のフローチャートである。
【図３】録画再生装置における再生操作に対応する処理手順のフローチャートである。
【図４】録画再生装置が実施するデータベースに関する処理手順のフローチャートである。
【図５】録画再生装置が実施する食材に関するデータベースの処理手順のフローチャートである。
【図６】家庭にある食材を登録する画面の一例を示す図である。
【図７】除外する食材や料理を登録する画面の一例を示す図である。
【図８】録画再生装置が実施する常時録画に関する処理手順を示すフローチャートである。
【図９】録画再生装置が実施する調理時間に関するデータベースの処理手順を示すフローチャートである。
【発明を実施するための形態】
【００１８】
（第一実施例）
図１は、本発明の一実施形態にかかる録画再生装置をブロック図により示している。
同図において、本録画再生装置１０は、六つのチューナ（デジタルチューナ）１１（１１ａ１〜１１ａ６）を備えている。各チューナ１１は、地デジチューナ、ＢＳチューナ、ＣＳチューナの機能を備えている。従って、同時に六つのテレビ放送を受信できる。各チューナ１１で受信して復調されエラー処理まで行われた復調信号はそれぞれ個別にデマルチプレクサ１２に入力されている。なお、図示していないがチューナ１１には復調器を含むものとする。
【００１９】
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。
マルチプレクサ１３は、録画時、受信したデジタル放送のコンテンツから録画に必要な情報を注出して再多重し、記録領域としてのＨＤＤ１４に記録させる。再生時は、デマルチプレクサ１２がＨＤＤ１４から直にデータを読み出す。
【００２０】
受信したデジタル放送のトランスポートストリームあるいはＨＤＤ１４から読み出されたデータはデコーダ１５に入力され、映像信号と音声信号とに分離され、デコードされる。デコードされた映像信号はドライバー１６に入力されてディスプレイパネル１７で映像として表示される。また、デコードされた音声信号はアンプ１８で増幅されてスピーカ１９から音声として出力される。
【００２１】
本録画再生装置１０に対する操作指示は、操作パネル２１を介してデマルチプレクサ１２が取得し、所定の制御に反映させる。また、リモコン２２を介する操作指示も同様に取得可能となっている。リモコン２２には再生キー２２ａが備えられており、番組表でハイライト表示される番組の選択などに利用される。
本録画再生装置１０は、ネットワークインターフェイス２３を介してインターネット３０に接続可能となっている。デマルチプレクサ１２のＣＰＵはネットワークインターフェイス２３を介してインターネット３０に接続し、ＶＰＮ接続で外部の端末と接続したり、ＤＴＣＰ＋などのストリーミング規格に則ってストリーミング配信することができようになっている。ユーザがスマートフォンなどの携帯端末６０を所有している場合、この携帯端末６０を外部の端末として、インターネットやネットワークインターフェイス２３を介して本録画再生装置１０と接続できるようになっている。
【００２２】
本実施例では、チューナ１１が複数のテレビ放送を個別に受信するチューナに相当し、ＨＤＤ１４がテレビ放送の内容を記録再生する記録手段に相当し、デマルチプレクサ１２が指定された複数のチャンネルの放送内容を前記チューナで常時受信して前記記録手段で録画させる常時録画制御手段に相当している。
ＨＤＤ１４は、テレビ放送の内容の記録に加え、番組情報１４ａや、検索キーと番組とを関連づけて記憶するデータベース１４ｂも記録されている。
【００２３】
なお、本実施例では、タイムシフト機能で録画された番組は、記録手段としてのＨＤＤ１４に記録されるが、指定された領域がいっぱいになると、順次古い番組から自動的に削除していく。この意味で、自動削除される領域については短期的録画領域と呼ぶこともある。指定された領域以外については、このような自動削除は行われず、ユーザからの明示の指示があったときにだけ削除する。この意味で、自動削除されない領域については永久録画領域と呼ぶこともある。
【００２４】
図２は、録画再生装置が実行する処理手順をフローチャートにより示している。
ＣＰＵは、ステップＳ１００にて、携帯端末６０を端末登録する。後述するように、本録画再生装置１０は、番組とレシピ情報と番組情報をこの携帯端末６０に送信する。送信するために必要な情報を端末登録として行う。送信する手法として、メールで送信する方法、両者をＶＰＮなどの所定のプロトコルに則って直接接続する方法、所定のアプリケーションを実行する方法などが可能である。メールでの送信であれば、メールアドレスを登録する。ＶＰＮ接続する場合はＩＤ，パスワード，ホストアドレスの設定などを行う。独自のアプリケーションで行なう場合はそれぞれのアプリケーションでの設定などを行う。なお、携帯端末６０で番組を選択して録画再生装置１０に送信するので、受信する手法も必要である。メールで受信する手法であれば、録画再生装置１０の受信メールアドレスを設定する。ＶＰＮ接続であれば、直接接続するので上述した情報の設定でよい。独自のアプリケーションで行う場合も上述した情報の設定でよい。むろん、これらの手法に限定されるわけではなく、既存の手法で録画再生装置１０と携帯端末６０とが情報の送受信を行えるものであれば、採用可能である。
【００２５】
ＣＰＵは、ステップＳ１０５にて、常時録画中か判断し、常時録画中であれば、次のステップＳ１１０にて、開始する番組があるか判断する。番組の開始時には、ＣＰＵは、ステップＳ１１５にて、その番組の番組情報を取得する。番組情報は、デジタル放送であれば、該当する所定のパケットデータに含まれている。また、番組の開始時以外にも、番組表を作成する過程で番組と番組情報とは関連づけて記憶しているので、任意のタイミングで番組情報を取得しても良い。
【００２６】
番組情報を取得したら、ＣＰＵは、ステップＳ１２０にて、番組情報の中に料理に関するキーワードがあるか判定する。キーワードとしては、例えば、「料理」、「調理」、「クッキング」などが該当するが、これらに限られない。これらのキーワードのいずれかが含まれていれば料理番組であろうと推定し、ステップＳ１２５にて、レシピ情報を抽出する。レシピ情報が料理番組の番組情報に必ずしも含まれるとは限らないが、抽出できるものはレシピ情報として抽出する。レシピ情報を最も好適に抽出できるのは、「レシピ」、「調理方法」などを含む番組情報の内容である。しかし、記載は様々であるので、ここでは詳述しない。レシピ情報を抽出できない場合などは、料理番組の番組情報をレシピ情報として扱う。ステップＳ１２０とステップＳ１２５の処理は、録画される番組の番組情報を取得し、番組情報に基づいて料理番組を検索してそのレシピ情報を抽出するレシピ情報抽出手段に相当する。
【００２７】
また、レシピ情報の抽出に加えて、ＣＰＵは、ステップＳ１３０にて、キーワードを取得する。この場合のキーワードとは、食材、調理時間、出演者、料理のジャンルの内容を指す。食材として含まれているもの、調理時間として目安が含まれていればその調理時間、出演者が含まれていればその出演者、料理が和食であるとかフランス料理といったジャンルに相当するならそのジャンルなどがキーワードであり、これらを取得する。
【００２８】
以上により、レシピ情報、各種のキーワードが取得されたことになるが、むろん、番組、番組情報も取得している。ＣＰＵは、ステップＳ１３５にて、ネットワークインターフェイス２３を介してインターネット３０に接続し、外部端末にレシピ情報を送信する。送信する手法は、上述したように、メールや、ＶＰＮなどの直接接続や、独自のアプリケーションなどである。ステップＳ１３５の処理は、インターネットを介して外部の端末に対して番組とレシピ情報と番組情報の全部または一部を送信するレシピ情報送信手段に相当する。送信する情報は、少なくとも番組とレシピ情報の一部が含まれていればよく、ユーザから番組選択できる情報であればよい。
【００２９】
番組の開始に伴って番組情報の取得からレシピ情報の送信までが一連の処理となる。なお、直接接続や独自アプリケーションでは必ずしもこの一連の処理の範囲内で行わなければならないわけではない。この場合、主に携帯端末６０の側で起動して送受信が開始されることが多いが、そのタイミングについての詳細は省略する。
【００３０】
次に、ＣＰＵは、ステップＳ１４０にて、端末からの番組選択を受信しているか判断する。上述したように、携帯端末６０から番組選択を送信する手法は、メール、直接接続、独自アプリケーションなどがある。いずれの方法であっても構わない。また、基本的には最新のものとする。例えば、ユーザが、メールで送信後、気が変わって別の番組を選択するということもあり得るからである。ステップＳ１４０の処理がインターネットを介して外部の端末から番組の選択を受信する番組選択受信手段に相当する。番組選択を受けているのであれば、ステップＳ１４５にて、その番組が録画済みであることを確認後、ステップＳ１５０にて、同番組をレジューム状態にする。本実施例でのレジューム状態とは、ユーザがリモコン２２の再生キー２２ａを操作したときに開始する状態である。通常は、最後に視聴していて停止させたり一時停止させたりした番組がレジューム状態になる。しかし、ステップＳ１５０では、そのような番組の有無にかかわらず、ステップＳ１４０にて受信していた番組選択された番組をレジューム状態にあるものとして記憶する。このようにレジューム状態とすることが、選択された番組を再生準備させる処理に相当し、ステップＳ１５０の処理は、スタンバイ設定手段に相当する。
【００３１】
このようにして、常時録画された番組の中から料理番組を判定し、その番組情報に基づいてレシピ情報や番組の情報が録画再生装置１０から携帯端末６０に送信され、それを受信したユーザが携帯端末６０を操作して番組を選択し、その番組を録画再生装置１０に送信すると、録画再生装置１０は、同番組をレジューム状態とする。
【００３２】
図３は、録画再生装置における再生操作に対応する処理手順をフローチャートにより示している。
ＣＰＵは、ステップＳ２００にて、再生指示があるか判断する。例えば、ユーザが、帰宅後、リモコン２２の再生キー２２ａを操作すれば、この再生指示があったと判断する。次に、ステップＳ２０５にて、レジューム状態の番組があるか判断する。上述したように、ユーザが番組選択を送信していれば、ステップＳ１５０にて、同番組がレジューム状態として設定されている。従って、ＣＰＵは、ステップＳ２１０にて、レジューム状態の番組を引き続き再生する。レジューム状態としてあるので、引き続き再生するが、番組選択されたものについては、未だ再生されたことはないはずなので、番組の先頭から再生することになる。なお、レジューム状態の番組がない場合には、ＣＰＵは、ステップＳ２１５にて、例えば最新の録画番組を再生する。
【００３３】
これにより、ユーザは、帰宅後、リモコン２２の再生キー２２ａを操作すれば、直ちにその番組が開始する。この結果、帰宅後、慌ただしいさなかに番組表を見て該当する番組を選択するというような操作が必要なくなる。たとえ、レシピ情報だけが送信されていたとしても、常時録画されている多大な数の番組の中から番組を選択して再生する操作は行わなければならないので、ユーザのメリットは大きい。
【００３４】
ところで、上述した実施例では、携帯端末６０では、番組情報などを受信し、番組選択を送信するという操作で完結していた。しかし、近年のストリーミング再生を録画再生装置１０で実施するようにしても良い。この場合、ステップＳ１００にて、端末登録する際に、ストリーミング再生で配信する相手として携帯端末６０を登録する。このようにしておくと、携帯端末６０からその番組のストリーミング配信を要求し、録画再生装置１０が、ＤＴＣＰ＋などの動画配信規格に準拠してストリーミング配信するということが可能となる。
【００３５】
（第二実施例）
図４は、録画再生装置が実施するデータベースに関する処理手順をフローチャートにより示している。上述した実施例では、レシピ情報を抽出した段階で携帯端末６０に送信するだけである。本実施例では、多くの番組が録画される常時録画の性質に対応し、レシピ情報をデータベース化する。
ＣＰＵは、ステップＳ３００にて、未登録のレシピ情報があるか判断する。第一実施例の場合は、番組開始時にレシピ情報を抽出しているので、その後、ステップＳ３００にて、未登録のレシピ情報があると判断し、ステップＳ３０５にて、番組名と、キーワードをデータベース（ＤＢ）に登録する。キーワードは、上述したような食材、調理時間、出演者などが相当するが、これらに限られるものではない。これらの処理を経て、未登録のレシピ情報があれば、逐次、データベースに追加されていく。
【００３６】
一方、ユーザが録画再生装置１０を操作してこのデータベースを操作する処理を選択したとする。すると、ＣＰＵは、ステップＳ３１０にて、データベース（ＤＢ）操作モードであると判断し、以下の処理を実施する。データベースを操作するほとんどの場合は検索目的であり、ユーザが検索を指示しているとすると、ＣＰＵは、ステップＳ３１５にて、検索指示ありと判断し、ステップＳ３２０にて、検索キーを受け付ける。検索キーは、ステップＳ３０５で登録した番組名やキーワードが相当する。番組名が分からなくても、キーワードで食材や料理のジャンルなどから選択できるようにする。
【００３７】
ＣＰＵは、ステップＳ３２５にて、フィルタ情報があるか判断する。フィルタ情報とは、検索結果から限定したり、検索結果に含まれるが表示する際には除外されるような情報であり、詳しくは後述する。フィルタ情報がある場合、ステップＳ３３０にて、限定フィルタであると判断されれば、ステップＳ３３５にて、限定条件を付加し、ステップＳ３４０にて、除外フィルタであると判断されれば、ステップＳ３４５にて、除外条件を付加する。その後、フィルタ情報を反映させた上で、ステップＳ３５０にて、検索を実行する。
【００３８】
検索後、ＣＰＵは、ステップＳ３５５にて、検索結果を表示する。このとき、限定条件が付加されていれば、本来のキーワードによる検索に加えた付加された条件でさらに限定されたものだけを表示する。また、除外条件が付加されていれば、本来のキーワードによる検索で該当するとしても、除外条件にも該当するものについては除外した上で、残ったものだけを表示する。
【００３９】
また、データベースの操作として、削除や変更も対応しており、ＣＰＵは、ステップＳ３６０にて、ユーザの操作がデータベース（ＤＢ）の削除であると判断すると、ステップＳ３６５にて、番組表示して選択を受け付け、選択されたものについては、ステップＳ３７０にて、番組削除を行なう。また、ＣＰＵは、ステップＳ３７５にて、ユーザの操作がデータベース（ＤＢ）の変更であると判断すると、ステップＳ３８０にて、番組表示して選択を受け付け、選択されたものについては、ステップＳ３８５にて、情報変更を行なう。
【００４０】
以上のようにして、レシピ情報を抽出した料理番組については、逐次、データベース化していき、その後に、データベースを操作して検索や削除、変更などを利用可能となる。  このように、レシピ情報抽出手段で抽出したレシピ情報に基づき、データベースへの追加や変更や削除を実現するステップＳ３００とステップＳ３０５の処理はデータベース更新手段に相当し、前記データベースで検索するための所定の検索キーを受け付けるステップＳ３１０〜ステップＳ３２０の処理はデータベース検索受付手段に相当し、受け付けられた検索キーで前記データベースを検索して結果を取得するステップＳ３２５〜ステップＳ３５５の処理はデータベース検索手段に相当する。
【００４１】
（第三実施例）
図５は、録画再生装置が実施する食材に関するデータベースの処理手順をフローチャートにより示している。
上述した実施例では、フィルタ情報によってデータベースの検索に条件を加えることができる。本実施例では、フィルタ情報を利用してデータベースを有効に利用する。
本実施例では、好みの食材や家庭にある食材を登録して、これらの食材を含む料理番組を選択したり、嫌いな食材や使いたくない食材を登録して、これらの食材を含まない料理番組を選択できるようにする。
【００４２】
ユーザが設定メニューなどを介して食材登録を選択したとする。すると、ＣＰＵは、ステップＳ４００にて、食材登録の操作がされたと判断し、ステップＳ４０５にて、食材を表示して選択を受け付ける。そして、受け付けた食材は、ステップＳ４１０にて、フィルタ情報に追加する。
フィルタ情報は、限定するものと、除外するものとがあり、ユーザの操作に従う。
【００４３】
図６は家庭にある食材を登録する画面の一例を示しており、図７は除外する食材や料理を登録する画面の一例を示している。
限定したい場合は、図６に示すように、家庭にある食材を登録する画面で選択を受け付ける。この例では、野菜と肉の選択を受け付けている。また、除外したい場合は、図７に示すように、食材の選択や料理を選択する。食材としているのは、一例に過ぎず、食材以外のキーワードなどを表示して選択できるようにすることができる。
【００４４】
限定または除外のフィルタ情報が生成された場合、上述したように、ステップＳ３２５〜ステップＳ３４５にて、データベースの検索に反映されることになる。
このように、前記データベースは、食材の項目を有しており、ステップＳ４０５の処理は所定の食材の登録を受け付ける検索用食材登録手段に相当し、ステップＳ３２５〜ステップＳ３４５の処理は前記データベースで検索を行うときに前記受け付けた食材でフィルタをかける食材フィルタ手段に相当する。
【００４５】
食材を登録し、その食材を含むものに限定したり、その食材を含むものを除外する処理は、さまざまな手法で実現可能であり、上述したものに限られない。また、予め限定したり、除外したものを選択して整理しでデータベースにインデックスを用意しておくことも可能である。
【００４６】
（第四実施例）
図８は、録画再生装置が実施する常時録画に関する処理手順をフローチャートにより示している。
常時録画では、常に録画を行っているので、何らかのタイミングで録画された番組を削除しないとＨＤＤ１４の容量はしかるべき時に尽きてしまう。このため、あるタイミングで古いものから先に録画した番組を削除する。このタイミングの一例として、ＨＤＤ１４の中で常時録画のために使用することとした常時録画領域の容量があるしきい値を超えたタイミングとすることが多い。
【００４７】
ＣＰＵは、ステップＳ５００にて、常時録画領域の容量（録画済みの容量）がしきい値を越えたか判断し、しきい値を超えているときは、ステップＳ５０５にて、録画日時の最も古い番組を選択する。本実施例では、すぐに削除するのではなく、ステップＳ５１０にて、フィルタ情報を参照する。上述したように、好みの食材は登録することができるが、好みの食材を使用する料理番組は、ユーザが確認してから削除すると便利である。このため、ＣＰＵは、ステップＳ５１０にて、フィルタ情報を参照した上で、ステップＳ５１５にて、登録した食材に該当するか判断する。ここでは、限定条件に該当する食材が相当する。ＣＰＵは、ステップＳ５０５にて選択された番組を使用して関連する食材をデータベースで参照し、その食材が前記登録した食材に該当するか調べても良い。そして、該当する場合には、ＣＰＵは、ステップＳ５２０にて、当該番組の録画を常時録画領域ではない非常時録画領域に複写する。これにより、自動的には削除されない対象となる。
【００４８】
以上の処理を追加しておくことで、ステップＳ５２５にて、該当番組を削除する。この場合、常時録画領域に記録されている料理番組はその食材がフィルタ条件に該当してもしていなくても削除される。しかし、該当するものについては非常時録画領域に複写されているので、ユーザがその後に自分で削除操作しない限り、残ることになる。
以上のように、ステップＳ５００，ステップＳ５０５，ステップＳ５２５の処理は、記録手段（ＨＤＤ１４）に記録されているテレビ放送の内容について所定の期間が経過したときに削除する処理に相当し、また、ステップＳ５１０〜ステップＳ５２０の処理は、前記受け付けた食材を有するか否かで削除するか否かを決定し、削除しないものは前記記録手段の中で所定の領域（非常時録画領域）に記録させる処理に相当するので、ステップＳ５００〜ステップＳ５２５の処理が、自動削除手段に相当する。
【００４９】
（第五実施例）
図９は、録画再生装置が実施する調理時間に関するデータベースの処理手順をフローチャートにより示している。
本実施例では、フィルタ情報を利用し、調理時間の制限によってデータベースを有効に利用する。
本実施例では、調理時間として許容できる番組の時間を登録して、この調理時間の範囲の料理番組を選択したり、あるいは、あまり短すぎる料理番組は向かないというような場合に最低限の調理時間を登録して、料理番組を選択できるようにする。
【００５０】
ユーザが設定メニューなどを介して調理時間登録を選択したとする。すると、ＣＰＵは、ステップＳ６００にて、調理時間の登録と判断し、ステップＳ６０５にて、調理時間を表示して選択を受け付ける。調理時間の選択として、１分刻みで設定しても良いし、１５分刻みで予め用意しておいて選択するというようなことも可能である。調理時間を選択したら、ＣＰＵは、ステップＳ６１０にて、フィルタ情報に追加する。この場合、選択した調理時間を最大として条件設定する場合（限定条件）は、料理番組に登録されている調理時間がこの選択した調理時間よりも短いものを検索する。また、選択した調理時間を最小として条件設定する場合は、料理番組に登録されている調理時間がこの選択した調理時間よりも短いものは検索結果から除外（除外条件）して表示することになる。
【００５１】
帰宅後に調理を開始することを想定している場合、例えば、１５分以内で終わる料理番組にしたいというような希望を叶えることができる。
このように、前記データベースは、調理時間の項目を有しており、ステップＳ６０５の処理は調理時間の登録を受け付ける検索用調理時間登録手段に相当し、ステップＳ３２５〜ステップＳ３４５の処理は前記データベースで検索を行うときに前記受け付けた調理時間未満のものでフィルタをかける調理時間フィルタ手段に相当する。
【００５２】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００５３】
１１ａ１〜１１ａ６…チューナ、１２…デマルチプレクサ、１３…マルチプレクサ、１４…ＨＤＤ、１４ａ…番組情報、１４ｂ…テーブル、１４ｃ…ログイン情報（ユーザデータ）、１５…デコーダ、１６…ドライバー、１７…ディスプレイパネル、１８…アンプ、１９…スピーカ、２１…操作パネル、２２…リモコン、２２ａ…再生キー、２３…ネットワークインターフェイス、３０…インターネット、６０…携帯端末（スマートフォン）。
【図１】
2015177461.tif 000003
【図２】
2015177461.tif 000004
【図３】
2015177461.tif 000005
【図４】
2015177461.tif 000006
【図５】
2015177461.tif 000007
【図６】
2015177461.tif 000008
【図７】
2015177461.tif 000009
【図８】
2015177461.tif 000010
【図９】
2015177461.tif 000011